(57)【要約】【課題】既存の植木鉢やプランタに、所望の水位の水保有部を設けることができる簡易な水位調節排水具および水植物栽培シートを提供する。【解決手段】所定の高さの筒状の突出部１５と、その突出部の下端外周に設けられ、排水口の周囲と液密に当接されるベース１４を備えた本体１１と、突出部１５の外周の雄ネジ１８に螺合して突出部１５の上端開口を覆うキャップ１２とを備えている水位調節排出具１０。植木鉢２６の底部２７に設けられる排水口２８を囲むように配置し、植木鉢２６内に所定の水位Ｈで水を保持する。ベース１４とキャップ１２の間に防水シート３０を介在させることもできる。【選択図】図２
2010104277.tif 000002
【特許請求の範囲】
【請求項１】
所定の高さの筒状の突出部と、その突出部の下端外周に設けられ、前記底部の排水口の周囲と液密に当接されるベースとを備えた本体と、
前記突出部の上端開口を、水を通す隙間を介して覆うキャップ
とを備えている水位調節排水具。
【請求項２】
前記突出部に対し、前記ベースとの間に、栽培容器の底部となる液密性および柔軟性を有するシートを挟着するように着脱自在に螺着される固定部材をさらに備えている水位調節排水具。
【請求項３】
前記ベースの下面に、栽培容器の底部内面との間に液密をもたらす環状のシール材が設けられている請求項１記載の水位調節排水具。
【請求項４】
前記突出部の側面に、横向きに突出する連結パイプが設けられ、その連結パイプの内部と前記突出部の内部とが連通している請求項１、２または３記載の水位調節排水具。
【請求項５】
前記固定部材の側面に、横向きに突出する連結パイプが設けられ、その連結パイプの内部と前記突出部の内部とが連通している請求項２記載の水位調節排水具。
【請求項６】
栽培容器の底部となる、排水口が形成された、液密性および柔軟性を有するシートと、
そのシートの排水口の周囲に固定された請求項２記載の水位調節排水具とからなる植物栽培シート。
【発明の詳細な説明】
【技術分野】
【０００１】
本発明は水位調節排水具および植物栽培シートに関する。
【背景技術】
【０００２】
【特許文献１】特開２００３−３１９７１１号公報
【特許文献２】特開２０００−６９８５９号公報
【特許文献３】特開２００３−２８９７３４号公報
【特許文献４】特開２００２−３６００７２号公報
【０００３】
特許文献１には、図９に示すような、略Ｖ字状の底面１０１を備えた栽培用ボックス１０２内に、袋状の防水シート１０３を配置し、その内部に防根性透水シート製の袋１０４に培地１０５を入れたものを収容して植物１０６を栽培する方法が開示されている。栽培用ボックスの底面１０１の下端には凹溝１０７が形成され、その凹溝に沿うように防水シート１０３をへこませて、水はけ用の溝１０８としている。
【０００４】
特許文献２には、遮水性の合成樹脂層を有するフレキシブルフィルムで底面が略Ｖ字状の栽培床を形成し、底面の下端に沿って排水用の配管を配置した植物栽培床が開示されている。排水用の配管には、多数の孔が形成されている。
【０００５】
他方、特許文献３には、図１０に示すような、Ｌ字型のパイプ１０９を排水枡１１０に回動自在に取付けた栽培施設が開示されている。この施設では、パイプ１０９の水平部分１０９ａを軸心廻りに回動させて外部に出ている垂直部分１０８ｂの端部の高さを変えることにより、オーバーフローの水位Ｈを調節できる。なお、水位の調節方法として、フロートを利用するもの、センサで水位を検出しながらポンプで給水するものなども開示されている。
【０００６】
さらに特許文献４には、流水溝の底部にオーバーフロー用の排水管を上下に貫通させた植物栽培装置が開示されている。この装置では、オーバーフロー用の排水管によって流水溝の水位を維持しながら、流水溝に浸した吸水シートで植物に水を供給することができる。
【発明の開示】
【発明が解決しようとする課題】
【０００７】
特許文献１や特許文献２の装置は、特定の立体形状に形成した防水シートを特定形状の容器と組合せたり、土の内部に埋めて用いるものである。そのため、既存の植木鉢やプランタにそのまま使用することはできない。また、特許文献３や特許文献４のオーバーフローの配管も、既存の植木鉢やプランタに液密に設けることは、通常の園芸愛好家にとっては困難である。本発明は、既存の植木鉢やプランタに、所望の水位の水保有部を設けることができる簡易な水位調節排水具を提供すること、および既存のプランタや箱、籠などを、所望の水位を維持できる栽培装置に簡単に改変することができる植物栽培シートを提供することを課題としている。
【課題を解決するための手段】
【０００８】
本発明の水位調節排水具（請求項１）は、所定の高さの筒状の突出部と、その突出部の下端外周に設けられ、前記底部の排水口の周囲と液密に当接されるベースを備えた本体と、前記突出部の上端開口を、水を通す隙間を介して覆うキャップとを備えていることを特徴としている。
【０００９】
このような水位調節排水具は、前記突出部に対し、前記ベースとの間に、栽培容器の底部となる液密性および柔軟性を有するシートを挟着するように着脱自在に螺着される固定部材をさらに備えているものであってもよい（請求項２）。
【００１０】
他方、前記ベースの下面に、栽培容器の底部内面との間に液密をもたらす環状のシール材が設けられているものであってもよい（請求項３）。
【００１１】
さらに前記突出部の側面に、横向きに突出する連結パイプが設けられ、その連結パイプの内部と前記突出部の内部とが連通しているものであってもよい（請求項４）。また、固定部材を備えている場合は、その固定部材の側面に、横向きに突出する連結パイプが設けられ、その連結パイプの内部と前記突出部の内部とが連通しているものであってもよい（請求項５）。
【００１２】
本発明の植物栽培シート（請求項６）は、栽培容器の底部となる、排水口が形成された、液密性および柔軟性を有するシートと、そのシートの排水口の周囲に固定された前述の固定部材を備えた水位調節排水具とからなる。
【発明の効果】
【００１３】
本発明の水位調節排水具（請求項１）は、植木鉢やプランタなどの栽培容器の底部の排水口の周囲に、底部とベースの間が液密になるように設置し、その上に用土を被せ、その用土で植物を栽培する。この場合、突出部の上端はキャップで覆われているので、水位調節排出具の上に用土を被せても、突出部の内部に用土が入り込まない。そして栽培容器に供給される水は、直接排水口から流出せず、栽培容器の底部に溜まり、それ以上供給された水がオーバーフローして突出部の上端開口から突出部の内部を通って排出される。そのため、栽培容器内には、常時突出部の高さまで水や培養液を溜めておくことができる。また、ベースと栽培容器の底部の間に板材などを介在させれば、水位の調節も容易である。
【００１４】
このような水位調節排水具において、前記突出部に対し、前記ベースとの間に、栽培容器の底部となる液密性および柔軟性を有するシートを挟着するように着脱自在に螺着される固定部材をさらに備えている場合（請求項２）は、ベースと固定部材の間にシートを挟着すれば、そのシート全体を植木鉢やプランタなどの栽培容器に敷き詰めて用土を入れて用いることができる。この場合は底部に多数の穴が開いているプランタあるいは底部に液密性がない箱などを、簡単に所望の水位の水保有部を備えた栽培容器に変えることができる。そしてシートが柔軟であるので、ベースとプランタの底部などの間に板材などを介在させるだけで、高い液密性を維持しながら簡単に水位の調節ができる。
【００１５】
前記ベースの下面に、栽培容器の底部内面との間に液密をもたらす環状のシール材が設けられている場合（請求項３）は、水位調節排水具を、ベースで植木鉢やプランタの底部の排水口を塞ぐように設置し、用土を被せて使用する。このものはベースの下面に環状のシール材が設けられているので、容器の底部の排水口をしっかりと塞ぐことができる。
【００１６】
前記突出部の側面に、横向きに突出する連結パイプが設けられ、その連結パイプの内部と前記突出部の内部とが連通している場合（請求項４）、あるいは前記固定部材の側面に、横向きに突出する連結パイプが設けられ、その連結パイプの内部と前記突出部の内部とが連通している場合（請求項５）は、連結パイプに排水チューブを連結し、その排水チューブの自由端を適切な位置に配置して用いる。このものは、底部に排水口が設けられていない容器に、あるいは側壁やコーナ部の下部に排水口があるプランタなどに使用すれば、簡単に所望の水位の水保有部を備えた栽培容器とすることができる。
【００１７】
本発明の植物栽培シート（請求項６）は、シート全体を植木鉢やプランタなどの栽培容器に敷き詰めて用土を入れて用いる。この場合は底部の多数の穴が開いているプランタあるいは底部に液密性がない箱などを、簡単に所望の水位の水保有部を備えた栽培容器にすることができる。そしてシートが柔軟であるので、ベースとプランタの底部などの間に板材などを介在させるだけで、高い液密性を維持しながら水位の調節ができる。
【発明を実施するための最良の形態】
【００１８】
つぎに図面を参照しながら本発明の水位調節排水具および植物栽培シートの実施形態を説明する。図１は本発明の水位調節排水具の一実施形態を示す一部切り欠き平面図、図２および図３はそれぞれ図１の水位調節排水具の使用状態を示す縦断面図、図４および図５はそれぞれ本発明の水位調節排水具の他の実施形態を示す一部切り欠き平面図および縦断面図、図６は本発明の植物栽培シートの実施形態を示す組み立て前の縦断面図、図７は図６におけるキャップのVII-VII線断面図、図８は図６の植物栽培シートの使用状態を示す断面図である。
【００１９】
図１および図２に示す水位調節排水具１０は、本体１１と、その本体に螺合されるカバーないしキャップ１２とからなる。本体１１は、図２に示すように、中央に開口１３が形成された円板状のベース１４と、そのベースの開口１３の周縁から立ち上がる筒状の突出部１５とからなる。ベース１４の下面には円形の浅い凹部１６が形成され、その凹部内に、円板状のシール材（ガスケット）１７が収容され、接着剤などで接合されている。シール材１７の厚さは凹部１６の深さよりいくらか厚い。また、シール材１７の中央にもベースの開口１３と同径の開口が形成されている。突出部１５の外周には雄ネジ１８が形成されている。
【００２０】
前記キャップ１２は、筒状の外周壁２１と、その外周壁の上端を閉じる天面２２と、外周壁２１と同心状の内筒２３と、外周壁２１と内筒２３を連結する複数枚のリブ２４とからなる。リブ２４は、たとえば４〜８枚程度で、放射状に配列する。この実施形態では、内筒２３は天面２２まで達しておらず、内筒２３はリブ２４によって支持されている。そのため、天面２２と内筒２３の上端との間には、隙間が設けられており、その隙間の部分ではリブ２４も省略されている。内筒２３の内面には、本体の突出部１５の雄ネジ１８と螺合する雌ネジが形成されている。外周壁２１の下端には、水を導くための切り欠き部２５が形成されている。切り欠き部２５は用土の入り込みを少なくするため、小さい開口とするのが好ましい。本体１１およびキャップ１２は、それぞれ塩化ビニル、ポリエチレンなどの合成樹脂の射出成型品などを用いることができる。ただし金属製などであってもよい。
【００２１】
上記のように構成される水位調節排水具１０は、たとえば図２に示す植木鉢２６の底部２７の上に、底部に形成されている排水口２８を囲むようにして設置される。植木鉢２６にはさらに用土２９が充填され、その用土に植物を植え込んで栽培する。上から用土２９に水をかけると、水位調節排水具１０がない場合は、用土２９に含まれる分を除き、水はほとんど排水口２８から流出する。水位調節排水具１０を設置した場合は、排水口２８がベース１４およびシール材１７で塞がれるので、排水口２８から流出せず、植木鉢２６内に溜まる。そして水位Ｈが突出部１５の上端に達すると、水が突出部１５の内側に流れ込み、下端の開口１３から流れ出る。そのため、適切な水位Ｈが保たれる。
【００２２】
なお、さらに高い水位が必要な場合は、ベース１４と植木鉢２６の底部２７の間に板材あるいはブロックなどの介在物を介在させればよい。その場合は介在物に上下の貫通孔を設け、介在物と植木鉢２６の底部２７の間はベース１４の下面のシール材１７と同様のシール材などでシールする。
【００２３】
また、前記水位調節排水具１０は、図３に示すように、防水シート３０と組み合せて使用することもできる。防水シート３０には開口３１を形成しておき、その開口に突出部１５を挿入して開口３１の周囲をベース１４とキャップ１２の間に挟着する。防水シート３０としては、ポリエチレン、ポリプロピレンなどの合成樹脂シートのほか、織布の表面に合成樹脂やゴムをコーティングしたものなどが用いられる。このものは、底部がない、あるいは底部に防水性がないプランタや植木鉢２６に使用することができ、突出部１５の上端の高さに水位Ｈを維持することができる。
【００２４】
図４および図５に示す水位調節排水具３３は、本体１１の突出部１５に横向きに連結パイプ３４を設けると共に、キャップ１２と連結パイプ３４との干渉を避けるため、キャップ１２の高さを低くし、さらにベース１４の中央領域を高くして当接台３５とした点に特徴がある。他の部分は図１、図２の水位調節排水具１０と実質的に同一である。連結パイプ３４の先端は、排水用のチューブ（図８参照）および止水栓などを嵌着するためにテーパ状にされ、内部は突出部１５の内部と連通している。当接台３５は、中空としてもよく、中実とすることもできる。キャップ１２の高さは当接台３５の分だけ低くする。
【００２５】
この水位調節排水具３３は、図２のような底部２７に排水口２８が形成された植木鉢２６などに用いる場合は、連結パイプ３４の先端にゴム栓などの止水栓を嵌着し、図２と同様にして使用する。他方、底面の中央近辺ではなく、底面のコーナ部や側面の下端に排水口を備えたプランタなどに用いる場合は、連結パイプ３４に排水用のチューブの一端を液密に嵌着し、他端をコーナ部や側面の排水口から外部に出すようにして用いる（図８参照）。チューブとしてはシール性を維持しやすいシリコーンゴム製のチューブが好ましい。チューブ３６と排水口との隙間には、シート状のシール材を巻き付けて介在させてもよい。このものも水位Ｈが突出部１５の上端に達するまで、水や培養液を植木鉢などの容器に溜めておくことができる。
【００２６】
図６に示す植物栽培シート３７は、水位調節排水具３８と防水シート３０とを組合せたものである。ここで用いている水位調節排水具３８は、成型を容易にするため、図４、図５の水位調節排水具３３における当接台３５と連結パイプ３４を本体１１から分離し、中間部材３９としている。そのため本体１１は、図２の水位調節排水具１０の本体１１と同様に、ベース１４と突出部１５によって構成されている。
【００２７】
中間部材３９の当接台３５は、天面４０と周壁４１とからなる有底筒状とされ、天面４０の中心には筒状のボス４２が設けられている。ボス４２の内面には、本体１１の突出部１５の雄ネジ１８と螺合する雌ネジ４３が形成されている。連結パイプ３４は周壁４１から横方向に突出しており、その内部と当接台３５の内部とが連通している。さらに周壁４１の下端には、ベース１２の上面と当接するフランジ４４が設けられている。
【００２８】
他方、本体１１のベース１２の上面には、環状溝４５が形成され、その環状溝に、フランジ４３とのシールを確保するためのリング状のガスケット４６が収容されている。また、本体１１の突出部１５には、その内部と当接台１５の内部とを連通させる連通口４７が形成されている。
【００２９】
さらにこの水位調節排水具３８では、図７に示すように、キャップ１２に内筒（図２の符号２３参照）を設けず、リブ２４の内縁に直接雌ネジ４８を形成している。それにより合成樹脂の射出成型が一層容易である。この水位調節具３８の本体１１は、連通口４７を除けば図１、図２の水位調節排水具１０の本体１１と同一形状にすることができる。そのため、部品を共用にして連通口４７のみを後加工にしてもよい。さらにキャップ１２については、図４、図５の水位調節排水具３３のキャップ１２と共用にすることができる。
【００３０】
図６の水位調節排水具３８における本体１１のベース１２と中間部材３９の間に防水シート３０を挟着することにより、水位調節排水具を備えた植物栽培シート３７が得られる。このものは、たとえば連結パイプ３４の先端に止水栓４９を嵌着した上で、図８に示すように、防水性を有しない鉢やプランタ５０の内部に敷き詰め、その上に用土２９を被せて植物を栽培することができる。
【００３１】
この場合、用土２９に注がれた水はキャップ１２と当接台３５の間からキャップ１２内に入り、突出部１５の上端からその内部に流れ込み、下端のベース１１の開口１３から流出する。そのため、水位Ｈは突出部１５の上端の高さに維持することができる。なお、当接台１５の内部と突出部１５の内部は連通口４７で連通しているが、連結パイプ３４が止水栓４９で塞がれているため、当接台３５の内部と外部は遮断されている。さらに防水シート３０が柔軟であることを利用して、ベース１４とプランタ４９の底面との間に適切な高さの台５１を介在させるだけで、水位Ｈを簡単に上げることができる。
【００３２】
他方、連結パイプ３４にチューブ３６を連結すると共に、ベース１２の開口１３を止水栓で塞ぐと、チューブ３６から排水させることができる。この場合も上記と同様に、水位Ｈの調節が容易である。なお、上記のように、連結パイプ３４の止水栓４８とベース１２の開口１３の止水栓は同時に使用することがないので、両者を兼用できるようにするのが好ましい。
【００３３】
図６の水位調節排水具３８は、防水シート３０と組合せて植物栽培シート３７としているが、単体で販売し、使用することも可能である。さらに図６の水位調節排水具３８では、本体１１の突出部１５と中間部材３９をネジで螺合しているが、単に円筒面ないし角柱面同士の嵌合とすることもできる。さらにいずれの実施形態においても、突出部１５とキャップ１２を螺合させず、一方に形成した弾性片を他方に形成した段部などに弾力的に係合させるスナップ結合などで結合することもできる。さらにキャップ１２は、ベース１４や中間部材３９の全体を覆う必要はなく、突出部１５の上端開口を通水用の隙間をあけて覆う程度のものであってもよい。
【図面の簡単な説明】
【００３４】
【図１】本発明の水位調節排水具の一実施形態を示す一部切り欠き平面図である。
【図２】図１の水位調節排水具の使用状態を示す縦断面図である。
【図３】図１の水位調節排水具の他の使用状態を示す縦断面図である。
【図４】本発明の水位調節排水具の他の実施形態を示す一部切り欠き平面図である。
【図５】本発明の水位調節排水具の他の実施形態を示す縦断面図である。
【図６】本発明の植物栽培シートの実施形態を示す組み立て前の縦断面図である。
【図７】図６におけるキャップのVII-VII線断面図である。
【図８】図６の植物栽培シートの使用状態を示す断面図である。
【図９】従来の植物栽培シートの一例を示す概略断面図である。
【図１０】従来の水位調整排出具の一例を示す概略断面図である。
【符号の説明】
【００３５】
１０  水位調節排水具
１１  本体
１２  キャップ
１３  開口
１４  ベース
１５  突出部
１６  凹部
１７  シール材
１８  雄ネジ
２１  外周壁
２２  天面
２３  内筒
２４  リブ
２５  切り欠き部
２６  植木鉢
２７  底部
２８  排水口
２９  用土
Ｈ  水位
３０  防水シート
３１  開口
３３  水位調節排水具
３４  連結パイプ
３５  当接台
３６  チューブ
３７  植物栽培シート
３８  水位調節排水具
３９  中間部材
４０  天面
４１  周壁
４２  ボス
４３  雌ネジ
４４  フランジ
４５  環状溝
４６  ガスケット
４７  連通口
４８  雌ネジ
４９  止水栓
５０  プランタ
５１  台
【図１】
2010104277.tif 000003
【図２】
2010104277.tif 000004
【図３】
2010104277.tif 000005
【図４】
2010104277.tif 000006
【図５】
2010104277.tif 000007
【図６】
2010104277.tif 000008
【図７】
2010104277.tif 000009
【図８】
2010104277.tif 000010
【図９】
2010104277.tif 000011
【図１０】
2010104277.tif 000012
【手続補正書】
【提出日】平成20年10月29日(2008.10.29)
【手続補正１】
【補正対象書類名】図面
【補正対象項目名】全図
【補正方法】変更
【補正の内容】
【図１】
2010104277.tif 000013
【図２】
2010104277.tif 000014
【図３】
2010104277.tif 000015
【図４】
2010104277.tif 000016
【図５】
2010104277.tif 000017
【図６】
2010104277.tif 000018
【図７】
2010104277.tif 000019
【図８】
2010104277.tif 000020
【図９】
2010104277.tif 000021
【図１０】
2010104277.tif 000022